(57)【要約】【課題】カーマットが前後左右にズレを生じることがなく、カーマットを係合・剥離を繰り返しても、床面の不織布やパイル布帛を構成している繊維が引き抜かれたり、同繊維が切断されたりすることが少なく、さらにカーマットの係止具の取り付け場所が不織布やパイル布帛の面から高く盛り上がったりすることのない係止具を提供する。【解決手段】基体層およびその表面から立ち上がる多数のステムからなり、基体層中央部より片側に傾斜ステム群（Ａ）が、そして反対側に傾斜ステム群（Ｂ）が存在しており、同一ステム群に存在しているステムはいずれも同一方向に傾斜しているが、傾斜ステム群（Ａ）と（Ｂ）では傾斜方向が相違し、傾斜ステム群（Ａ）および（Ｂ）に属するステムは中央部から互いに遠ざかる方向または近づく方向に傾斜しており、裏面には接着剤層が存在している係止具。【選択図】図１
2019005317.tif 000002
【特許請求の範囲】
【請求項１】
裏面に係止具が取り付けられているカーマットにおいて、該係止具が、基体層およびその表面から立ち上がる多数のステムからなり、基体層中央部より片側に傾斜ステム群（Ａ）が、そして反対側に傾斜ステム群（Ｂ）が存在しており、同一ステム群に存在しているステムはいずれも同一方向に傾斜しているが、傾斜ステム群（Ａ）と（Ｂ）では傾斜方向が相違し、傾斜ステム群（Ａ）および（Ｂ）に属するステムは中央部から互いに遠ざかる方向または近づく方向に傾斜している係止具であり、ステムが存在している面を外側にして裏面に取り付けられていることを特徴とするカーマット。
【請求項２】
傾斜ステム群（Ａ）および（Ｂ）に属するステムが中央部から互いに遠ざかる方向に傾斜している請求項１に記載のカーマット。
【請求項３】
係止具の基体層およびステムが、ともにエラストマー系樹脂から形成されている請求項１または２に記載のカーマット。
【請求項４】
エラストマー系樹脂が、ポリエステル系エラストマーである請求項３に記載のカーマット。
【請求項５】
ステムの基体表面からの垂直高さが０．３〜０．８ｍｍで、傾斜ステム群（Ａ）および（Ｂ）のステム密度が５０〜２００本／ｃｍ２である請求項１〜４のいずれかに記載のカーマット。
【請求項６】
係止具の基体層裏面に存在している接着剤により係止具裏面がカーマット裏面に接着一体化されている請求項１〜５のいずれかに記載のカーマット。
【請求項７】
接着剤がポリアミド系ホットメルト樹脂である請求項６に記載のカーマット。
【請求項８】
基体層およびその表面から立ち上がる多数のステムからなり、これら多数のステムが、基体層表面の中央部を挟んで両側に傾斜ステム群（Ａ）と傾斜ステム群（Ｂ）として存在しており、同一ステム群に存在しているステムはいずれも同一方向に傾斜しているが、傾斜ステム群（Ａ）および（Ｂ）とでは傾斜方向が相違し、傾斜ステム群（Ａ）および（Ｂ）に属するステムは中央部から互いに遠ざかる方向または近づく方向に傾斜しており、基体層裏面には、接着剤層が一体化されている係止具。
【請求項９】
不織布製またはパイル布帛製の自動車床面被覆材の表面にカーマットを固定する方法として、自動車床面被覆材の表面に、請求項１〜７のいずれかに記載のカーマットの裏面を重ね合せ、係止具のステムを該不織布やパイル布帛に挿入させるカーマットの固定方法。
【発明の詳細な説明】
【技術分野】
【０００１】
本発明は、不織布やパイル布帛からなる自動車床面被覆材の表面にカーマットを固定するのに使用する係止具および同係止具を裏面に接合したカーマット、さらに同カーマットを同自動車床面被覆材の表面に固定する方法に関する。
【背景技術】
【０００２】
従来から、乗用車などの床面を覆う被覆材として不織布やパイル布帛が用いられている。そして、この不織布やパイル布帛などの被覆材が靴に付着した泥や土等により汚れることを避けるために、被覆材の上をカーマットで覆うことが一般的に行われており、カーマットが汚れた場合には、床面の不織布やパイル布帛から汚れたカーマットを剥がして、車外でカーマットに付着した汚れを落とし、再度、汚れを除去したカーマットを床面に敷き直すことが一般に行われている。
【０００３】
そして、このように自動車の床面被覆材の汚れを防ぐ目的で用いられているカーマットは、車内に敷かれた後は、床面被覆材との間でズレを生じないために、床面被覆材上にカーマットを固定する手段が用いられている。
【０００４】
その手段のひとつとして、床面被覆材の不織布やパイル布帛の上に、カーマットに開けたハトメに留具を貫通させて固定する方法やホック等の金具で留める方法などが知られている（例えば、特許文献１）。しかしながら、ホックやハトメで留めた場合には、ホックを取り付けた部分が厚くなったり、ハトメの孔から貫通した留具に足が引っ掛かり易くなったり、また不織布やパイル布帛にホックや留具等を取り付けるための作業や特殊な用具を必要としたり、さらにカーマットと不織布やパイル布帛の間、特にカーマットの隅が不織布やパイル布帛の面から浮き上がり、見栄えが劣る等の問題点を有している。
【０００５】
また、裏面に多数の突起を有している置敷カーマットにおいて、突起の一部または全部が前方を向いていることにより、置敷したカーマットの前方への滑りを防止する技術が知られている（例えば、特許文献２）。しかしながら、カーマットのズレは前方方向のみに生じるものではなく、一部または全部が前方向に向いている突起では前方向へのズレは防止できても、自動車の揺れや足の移動等に伴い、後方や横方向にもズレを生じることとなるが、そのようなズレを防止することはできない。
【０００６】
また、フック型やキノコ型や鏃型等の雄型係合素子を表面に多数有する雄型面ファスナーをカーマットの裏面に雄型係合素子が外側となるように貼り付け、この雄型係合素子を床面の不織布やパイル布帛と係合させて、これによりカーマットの前後および横方向へのズレを防止する方法も知られている。
【０００７】
しかしながら、この方法を用いると、不織布やパイル布帛の面からカーマットを剥離・係合する作業を繰り返すうちに、不織布やパイル布帛を構成している繊維が不織布やパイル布帛内から引き抜かれ、その部分の不織布やパイル布帛が盛り上がったり、さらには不織布やパイル布帛を構成している繊維が剥離の際に切断されて、剥離・係合を繰り返すうちに係合力が低下したり、不織布やパイル布帛を構成している繊維が減少し、不織布やパイル布帛の裏面のバックコート層が露出し、見栄えが劣ることとなる。
【０００８】
このような課題とは全く関係のない、自動車用座席用クッション材の表面を覆う表皮材をクッション材の表面に固定する方法として、基体の表面に、基体中央部より片側に傾斜ステム群（ａ）が、そして反対側に傾斜ステム群（ｂ）が存在しているシートであって、傾斜ステム群（ａ）に存在しているステムと傾斜ステム群（ｂ）に存在しているステムが共に基体中央部から遠ざかる方向に傾斜している傾斜ステムシートを表皮材の裏面にステム面を外側にして袋状に取り付け、クッション体に設けた狭い溝部に、この袋状物を挿入する方法を用いることにより、溝部から表皮材を引き抜こうとする力に対して傾斜ステムが抵抗して、クッション体の表面に表皮材が強固に固定されることが公知である（例えば、特許文献３）。
【０００９】
しかしながら、この公知の技術はステムを有している面を外側にして傾斜ステムシートを袋状に二つ折りして、クッションの狭い溝部に挿入することにより溝部壁面にステムを突き刺して、表皮材が溝部から引き抜かれることを阻止するものであり、本発明と用途分野、使用方法、さらに目的が全く相違する。
【先行技術文献】
【特許文献】
【００１０】
【特許文献１】実開平５−４６９１４号公報（要約書）
【特許文献２】実開昭６３−３５６３６号公報（実用新案登録請求の範囲および第１図）
【特許文献３】特開２０１４−１８８１８０号公報（要約書）
【発明の概要】
【発明が解決しようとする課題】
【００１１】
本発明は、カーマットが前後左右にズレを生じることがなく、カーマットを係合・剥離する作業を何度も繰り返しても、床面の不織布やパイル布帛を構成している繊維が引き抜かれたり、不織布やパイル布帛を構成している繊維が切断されたりすることが少なく、さらに係止具が取り付けられていることによってもカーマットの係止具の取り付け場所が不織布やパイル布帛の面から高く盛り上がったりすることのない係止具、同係止具を裏面に一体化したカーマット、および同カーマットを自動車床面被覆材である不織布やパイル布帛の表面に固定する方法を提供するものである。
【課題を解決するための手段】
【００１２】
すなわち本発明は、裏面に係止具が取り付けられているカーマットにおいて、該係止具が、基体層およびその表面から立ち上がる多数のステムからなり、基体層中央部より片側に傾斜ステム群（Ａ）が、そして反対側に傾斜ステム群（Ｂ）が存在しており、同一ステム群に存在しているステムはいずれも同一方向に傾斜しているが、傾斜ステム群（Ａ）と（Ｂ）では傾斜方向が相違し、傾斜ステム群（Ａ）および（Ｂ）に属するステムは中央部から互いに遠ざかる方向または近づく方向に傾斜している係止具であり、ステムが存在している面を外側にして裏面に取り付けられていることを特徴とするカーマットであり、好ましくは傾斜ステム群（Ａ）および（Ｂ）に属するステムが中央部から互いに遠ざかる方向に傾斜している場合である。
【００１３】
そして、好ましくはこのようなカーマットにおいて、係止具の基体層およびステムが、ともにエラストマー系樹脂から形成されている場合であり、より好ましくは、このようなエラストマー系樹脂が、ポリエステル系エラストマーである場合である。
【００１４】
そして、このようなカーマットにおいて、好ましくは、ステムの基体表面からの垂直高さが０．３〜０．８ｍｍで、傾斜ステム群（Ａ）および（Ｂ）におけるステム密度が５０〜２００本／ｃｍ２である場合であり、また係止具の基体層裏面に存在している接着剤により係止具裏面がカーマット裏面に接着一体化されている場合であり、より好ましくは、接着剤がポリアミド系のホットメルト樹脂の場合である。
【００１５】
また本発明は、基体層およびその表面から立ち上がる多数のステムからなり、これら多数のステムが、基体層表面の中央部を挟んで両側に傾斜ステム群（Ａ）と傾斜ステム群（Ｂ）として存在しており、同一ステム群に存在しているステムはいずれも同一方向に傾斜しているが、傾斜ステム群（Ａ）および（Ｂ）とでは傾斜方向が相違し、傾斜ステム群（Ａ）および（Ｂ）に属するステムは中央部から互いに遠ざかる方向または近づく方向に傾斜しており、基体層裏面には、接着剤層が一体化されている係止具である。
【００１６】
そして本発明は、不織布やパイル布帛製の自動車床面被覆材の表面にカーマットを固定する方法として、自動車床面被覆材の表面に、上記のカーマットの裏面を重ね合せ、係止具のステムを該不織布やパイル布帛層に挿入させる方法を用いるカーマットの固定方法である。
【発明の効果】
【００１７】
本発明の係止具は、基体層の表面から立ち上がっている多数のステムを有しており、これらステムは、従来の雄型面ファスナーのように先端部がフック状に大きく曲がったり、先端部がキノコ状や鏃型に膨らんだりしておらずに、付け根から先端部に至るまで引っ掛かりとなるような曲がりや膨らみを有しておらずに、ほぼストレートに伸びている。
【００１８】
したがって、自動車の床面被覆材である不織布やパイル布帛から本発明の係止具を剥離する場合でも、カーマットの係止具部分を曲げてステムが被覆材に垂直またはそれに近い状態とすることにより容易に剥離でき、不織布やパイル布帛を構成している繊維を不織布層やパイル布帛層から無理に引き抜いたり、あるいは繊維を切断したりすることが殆どない。しかも、ストレートに伸びていることにより、従来のフック状やキノコ状や鏃型の係合素子のようにフックが伸び切ったり、キノコ状や鏃型の頭部がちぎれたりすることもなく、剥離・係止を繰り返すことにより係止力が低下するということも殆どない。
【００１９】
さらに本発明の係止具では、このようなステムが、基体層表面の中央部を挟んで両側に傾斜ステム群（Ａ）と（Ｂ）として存在しており、同一ステム群に存在しているステムはいずれも同一方向に傾斜しているが、傾斜ステム群（Ａ）と（Ｂ）では傾斜方向が相違し、傾斜ステム群（Ａ）および（Ｂ）に属するステムは中央部から互いに遠ざかる方向または近づく方向に傾斜しているため、傾斜ステム群（Ａ）が外れ易い横ズレに対しては傾斜ステム群（Ｂ）が、また傾斜ステム群（Ｂ）が外れ易い横ズレに対しては傾斜ステム群（Ａ）が、それぞれズレを阻止し、共働で係止具が外れることを阻止することとなる。
【００２０】
しかも、本発明の係止具は、薄い基体の上に、傾斜した背の低いステムが立ち上がっているだけであることから、係止具が薄く、従来の取付け具のように盛り上がったり、取付け具がカーマットの表面から突き出ていることもない。
【００２１】
さらに本発明の係止具では、好ましくはエラストマー系の樹脂から成形されていることから、人が踏みつけてもステムが折れたり曲がったりすることが少なく、荷重が取り除かれると元の形状に復元することとなる。しかも、剥離の際に、適度の力で外れる方向にステムおよび基体層が撓み、不織布やパイル繊維を傷めることもなく、剥離後は速やかに元の形状に戻ることとなる。
【図面の簡単な説明】
【００２２】
【図１】本発明の係止具の好適な一例を模式的に示した斜視図である。
【図２】図１のＸ−Ｙ部分での断面を示した断面図である。
【図３】図１に示すＰ部分を拡大して表した斜視図である。
【図４】本発明の係止具をカーマットの裏面に一体化した状態を模式的に示した断面図である。
【図５】本発明の係止具を製造するのに用いるノズルの好適な一例を示す図である。
【発明を実施するための形態】
【００２３】
以下本発明の係止具について詳細に説明する。図１は、本発明の係止具の好適な一例を模式的に示したものであり、図２はそのＸ−Ｙ部分での断面を示した図、図３は図１のＰの部分を拡大して示した斜視図である。
【００２４】
図１に示すように、本発明の係止具は、基体層（１）、ホットメルト接着剤層（４）および多数のステム（２）からなる。
基体層（１）の厚さとしては、０．１〜１．０ｍｍ、特に０．２〜０．８ｍｍが、踏んだ時の違和感が少なく、剥離時の剥離し易さの点で、さらに係止具の強度の点で好ましい。
【００２５】
ステム（２）は、基体層（１）の表面から立ち上がっており、これら多数のステムが、図１に示すように、基体層表面の中央部（３）を挟んで両側に傾斜ステム群（Ａ）と（Ｂ）として存在しており、同一ステム群に存在しているステムはいずれも同一方向に傾斜しているが、傾斜ステム群（Ａ）と（Ｂ）では傾斜方向が相違し、傾斜ステム群（Ａ）および（Ｂ）に属するステムは中央部から互いに遠ざかる方向または近づく方向に傾斜している。図１および図２は、傾斜ステム群（Ａ）および（Ｂ）に属するステムは中央部（３）から互いに遠ざかる方向に傾斜している場合を表している。
【００２６】
本発明で言う係止具の中央部とは、正確に係止具の中央部である必要はなく、単に、傾斜ステム群（Ａ）と傾斜ステム群（Ｂ）を分けるための境界部を意味し、直線状である必要はなく、曲がっていてもよい。さらに中央部は面積を有している必要もないが、好ましくは幅１〜１０ｍｍで、傾斜ステム群（Ａ）と傾斜ステム群（Ｂ）の間で直線状に存在している場合である。
【００２７】
本発明の係止具では、同一のステム群に属するステムは同一方向に傾いている必要があり、同一方向に傾いていない場合、すなわち個々のステムがそれぞれ別々の方向に傾いている場合には、ズレ方向の係止力を殆ど有しないか、あるいは有していても極めて低いものとなる。本発明において、同一の群に属する全てのステムが全く同一方向に傾いている場合がもっとも好ましいが、ごく僅かならば同一方向に傾いていないステムが存在していてもよい。
【００２８】
また、傾斜ステム群（Ａ）と（Ｂ）では傾斜方向が相違し、傾斜ステム群（Ａ）および（Ｂ）に属するステムは中央部から互いに遠ざかる方向または近づく方向に傾斜している必要がある。このように傾斜ステム群（Ａ）と傾斜ステム群（Ｂ）が異なる方向に傾斜していることにより、傾斜ステム群（Ａ）が外れ易い横ズレに対しては傾斜ステム群（Ｂ）が、また傾斜ステム群（Ｂ）が外れ易い横ズレに対しては傾斜ステム群（Ａ）が、それぞれズレを阻止し、共働で係止具が外れることを阻止することとなる。
【００２９】
さらに傾斜ステム群（Ａ）および（Ｂ）に属するステムは中央部から互いに遠ざかる方向または近づく方向に傾斜しているものは、後述する製造方法により容易に製造できることからこの点でも好ましいこととなる。
【００３０】
本発明の係止具では、上記ステムの傾き方向に対して交差する方向（図１や図３ではＺ方向）に、ステムが並列に並んでいることが本発明の係止具において好ましく、並列に複数のステムが列をなして並んでいることにより係合力が大きく向上するとともに上からの荷重に対してステムが倒れ難くなる。
【００３１】
同一ステム列に属する隣り合うステムとの間隔（ステムの付け根部分での距離：図３に示すＳ）としては、０．２〜０．８ｍｍの範囲，特に０．２５〜０．５ｍｍの範囲が好ましい。
【００３２】
そして、このようなステムの列が平行に複数列存在していることが係合力を高め、かつ、係合し易さの点で好ましい。好ましくは各ステム群にこのようなステム列が３〜１０列存在している場合である。そしてステム列間隔（隣り合うステム列を構成するステムの付け根部分での距離：図３に示すＱ）としては０．５〜３．０ｍｍが好ましい。
【００３３】
そして、本発明の係止具では、個々のステムは、ステムの高さの中間部分とステム先端部分でほぼ同一幅を有しているのがステムに荷重が掛かっても倒れ難いことから好ましい。ここでいうステムの幅とは、本発明の係止具のステム群の一部（図１に示すＰの部分）を拡大した図である図３に示すＷのことであり、具体的には０．２〜０．６ｍｍが好ましい。またステムの高さ中間部での奥行（図３に示すＤ）としては、０．１〜０．５ｍｍが好ましい。
【００３４】
そして、本発明の係止具において、好ましくはステムの高さ（図３で示すＨ）が０．２〜１．２ｍｍの場合である。ステムの高さが高くなるとステムが曲がったり折れたりし易い。逆に低すぎると、ズレ方向係止力が低下することとなる。より好ましくは０．３〜０．８ｍｍの範囲、最も好ましくは０．４〜０．７ｍｍの範囲である。
【００３５】
また、本発明の係止具を構成するステムは、いずれも中央部から互いに遠ざかる方向または近づく方向に傾斜しているが、傾斜の程度としては、ステムの付け根中央部と先端部を結ぶ直線が基体面と３０〜６０度、特に３５〜４５度の角度をなしているがズレ方向係止力の点で好ましい。
【００３６】
また本発明の係止具において、傾斜ステム群（Ａ）および（Ｂ）のステム密度が５０〜２００本／ｃｍ２で、特に６０〜９０本／ｃｍ２であるのが好ましい。本発明の係止具では、比較的背の低いステムが、列をなして密集して存在しているのが、ステムが荷重を受けた際に倒れ難いこと、さらに高いズレ方向係合力が得られることから好ましく、そのためには、同一のステム列に属する隣り合うステムとの間隔（図３に示すＳ）が前記したように０．２〜０．８ｍｍ、特に０．２５〜０．５ｍｍであるのが好ましい。
【００３７】
次に、本発明の係止具の製造方法について説明する。まず、熱可塑性樹脂を図５に示すようなスリットを有するノズル（８）から溶融押出し、基体層の表面に、基体層表面に対して傾斜しかつ連続している列条を複数有するテープを成形する。
【００３８】
これらの成形物は、押し出し成型だけではなく、射出成型法等でも製造可能であるが、長さの異なる各種の係止具を自由に製造でき、しかも、延伸されていることから基体層の強度に優れ、かつステムが基体層から切断され難いこと、さらにステム密度の高い係止具が容易に作製できることから押し出し成型を用いるのが好ましい。
【００３９】
図５に示す９が基体層を構成することとなる線状スリットであり、そして１０がステムを構成することとなる同一方向に傾斜した複数の線状スリットである。このような線状スリットを用いると、基体層およびステムが同一の樹脂からなる係止具が得られることとなるが、同一の樹脂からなることがステムが基体層から切断されないことから好ましい。
【００４０】
使用される熱可塑性樹脂としては、ポリオレフィン系樹脂、ポリエステル系樹脂、ポリアミド系樹脂、エチレン−ビニルアルコール共重合体、各種エラストマー系樹脂などが挙げられるが、剥離の際にあるいは置敷された状態で床面の被覆材を傷付けず、さらに係止具自体もステムが折れたりちぎれたりしないことから特にエラストマー系の樹脂が好ましく、なかでも延伸性に優れ、かつ吸湿性がなく、水分により伸縮せず、また適度の硬さと伸縮性を兼ね備えており、しかも剥離の際に容易に剥離できるように基体層やステムを曲げることができ、剥離後は元の状態に速やかに復元できることからポリエステル系エラストマーが最も好ましい。
【００４１】
ポリアミド系樹脂やエチレンービニルアルコール共重合体等の吸水し易い樹脂の場合には、吸水により伸長することから、このような樹脂からなる係止具を取り付けたカーマットは雨や雪の日に吸水により反り返りが生じ易く、見栄えに劣ることとなる。
【００４２】
なおポリエステル系エラストマーとは、ポリブチレンテレフタレート連鎖をハードセグメント、ポリオキシアルキレン連鎖や脂肪族ポリエステル連鎖やポリエーテル連鎖をソフトセグメントとするエラストマーの総称である。
【００４３】
図５に示すスリットを用いた場合には、基体層表面に傾斜を有する列条が左右５本ずつ等間隔で存在しているテープが得られる。列条の本数としては、左右合わせて８〜３０本が適当であり、好ましくは１０〜２０本である。テープ幅としては、延伸前で３０〜１００ｍｍが好ましい。
【００４４】
次に得られたテープの表面に存在する列条に小間隔で先端部から付け根付近に至る基体面に垂直な切れ目を入れる。切れ目の間隔としては０．１５〜２．０ｍｍ、特に０．２〜０．６ｍｍが適切である。次いで、テープを長さ方向に延伸する。延伸倍率としては、延伸後のテープ長さが元のテープの長さの１．５〜４．０倍、特に１．８〜２．５倍となる程度が好ましい。この延伸により、列条に入れられた切れ目が広がり、列条が、独立した多数のステムからなるステム列に変わる。
【００４５】
なお、本発明の係止具において、カーマットとの接着強度を高めるために、基体層裏面に凹凸を設けてもよく、例えば、上記テープ状の押し出し物を製造する際に、裏面側に凸条や凹条やスポット状窪みを設けても良い。
【００４６】
次に延伸された係止具の基体層裏面、好ましくは裏面全面に接着剤を付与する。接着剤としてはホットメルト系接着剤が好ましく、中でもポリアミド系のホットメルト系接着剤が優れた接着力が得られる点で好ましい。付与する接着剤層の厚さとしては、０．０５〜０．３ｍｍ、特に０．０８〜０．２ｍｍが好ましい。この厚さより薄い場合には、十分な接着力が得られず、この厚さより厚い場合には、湿気により反り返る恐れが生じる。
【００４７】
このようにして得られた係止具は必要な長さにカットされる。係止具の長さとしては、５〜３０ｃｍ、特に１５〜２５ｃｍの範囲が、また係止具の幅としては１〜５ｃｍ、特に２〜４ｃｍの範囲が取り付け易さおよび係止力の点で好ましい。
【００４８】
そして、基体部の中央部の幅としては１〜１０ｍｍ、傾斜ステム群（Ａ）と（Ｂ）の幅としては、それぞれ８〜３０ｍｍで、図１に示すように係止具の長さ方向全長にわたり中央部、傾斜ステム群（Ａ）、傾斜ステム群（Ｂ）が存在しており、ステム列も係止具の長さ方向に平行に存在しているのが好ましい。もちろん、傾斜ステム群（Ａ）と傾斜ステム群（Ｂ）は中央部を挟んで左右対称である必要はない。
【００４９】
このようにして得られた係止具を、次にカーマットの裏面にステム面を外側にしてステム面と反対側の面を貼り付ける。貼り付けは、係止具の基体層裏面に付与したホットメルト接着剤を加熱溶融させることにより、カーマット裏面に貼り付ける。なお、この際に、ホットメルト接着剤が溶融し始める温度で係止具の基体層とステムが共に溶融しないことが必要で、通常、ホットメルト接着剤を溶融させる温度として１００〜１５０℃の温度が用いられる。
【００５０】
本発明の係止具が貼り付けられる対象物であるカーマットとしては、通常の市販されているものが用いられる。すなわち不織布やパイル布帛等の裏面にバッキング樹脂を塗布したもので、車内の座席を除く床面形状に合わせたパーツに分かれたものが用いられる。
【００５１】
図４は、パイル層（７）の裏面にバッキング層（６）を塗布したカーマット（５）の該バッキング層側に係止具の裏面をホットメルト接着剤層（４）により一体化した、部分図を示している。
【００５２】
カーマットの裏面に本発明の係止具を取り付ける場所としては、カーマットの四隅でもよいし、また四辺の中央部でもよい。またカーマットが面積の広いものである場合には四辺の各辺に複数個取り付けてもよく、さらにカーマットの中央部にも取り付けてもよい。さらにカーマットの周囲を本発明の係止具で覆うように取り付けてもよい。
【００５３】
本発明の係止具を取り付けたカーマットは、自動車の床面を覆っている不織布やパイル布帛に重ね合せ、軽く押さえ付けるだけで、係止具のステムが不織布やパイル布帛の繊維中に挿入され、ステムが傾斜していることによりステムの腹側に侵入した繊維によりズレが抑制され、しかも傾斜方向の異なるステム群により前後両方向のズレが止められ、さらに９０度の角度で存在する係止具により横方向のズレも止められ、カーマットは床面に固定されることとなる。
【００５４】
したがって、カーマットは裏面に存在する係止具により、人がカーマットを脚で蹴ってもいずれの方向にもズレを生じることがない。そして、カーマットが汚れた場合には、床面被覆不織布やパイル布帛からカーマットを引っ張り、特に係止具のステムが床面被覆材に対して垂直に近い角度となるだけで容易に剥離できることとなる。
【００５５】
これにより剥離の際に、不織布やパイル布帛を構成している繊維を切断したり、引き抜いたりすることがなく、したがって床面被覆不織布等を損なうことがない。また剥離の際や人が踏みつけた際に係止具のステムが折れたり、破断したりすることもなく、いつまでも、高い係止力を保持し続けることとなる。
しかも、本発明の係止具は厚みが薄いことから、従来の取付具のように部分的に盛り上がったり、取付具がカーマットの表面から突き出ていることもない。
【実施例】
【００５６】
以下、本発明を実施例により説明する。
実施例１
図５に示すようなノズル（但し、ステム用スリットの本数は左右それぞれ７本）からポリエステル系エラストマー（東レ株式会社製ハイトレル６３７７）を押し出し、基体の片面中央部を挟んで中央部から互いに遠ざかる方向に傾いており長さ方向に連続している傾斜列条を左右にそれぞれ７本有しているテープ状物を押し出し、冷却水中に投入して、表面に傾斜列条を有しているテープ状物を得た。
【００５７】
次に、このテープ状物の表面に存在している傾斜列条にその先端部から付け根に至る垂直の切れ目を０．３４ｍｍ間隔でテープ状物幅方向に平行に入れ、そして２．０倍の延伸倍率で延伸した。その結果、切れ目部分は０．３４ｍｍに広がり、連続していた傾斜列条はステム列に変わった。
【００５８】
得られたステム列は、図３に示すステムの幅（Ｗ）および同一列に属する隣のステムとの間隔（Ｓ）がともに０．３４ｍｍ、ステム高さ（Ｈ）が０．５３ｍｍ、ステムの奥行（Ｄ）が０．２２ｍｍ、隣のステム列との間隔（Ｑ）が１．６ｍｍであり、各ステムは、いずれも中央部から互いに遠ざかる方向に傾斜しており、基体面と傾斜ステムの為す角度は、いずれも３９〜４３度の範囲内であった。
そして、左右の傾斜ステム群（Ａ）と（Ｂ）の中央部には、テープ状物の長さ方向に平行に、幅２．２ｍｍのステムが存在しない中央部（３）が存在していた。このステム群のステム密度は７１本／ｃｍ２で、基体層の厚さは０．２９ｍｍであった。
【００５９】
次に得られたテープ状物の裏面側全面にポリアミド系のホットメルト接着剤（東京インキ製パウダーレジンＦ−９１５Ｇ）を厚さ０．１４ｍｍとなるように塗布した。このようにして得られた係止具用テープ状物は、ポリエステル系エラストマー製の基体層およびその表面から立ち上がる多数のステム、そして裏面の接着剤層からなり、基体層中央部より片側に傾斜ステム群（Ａ）が、そして反対側に傾斜ステム群（Ｂ）が存在しており、同一ステム群に存在しているステムはいずれも中央部から互いに遠ざかる方向に傾斜していた。
このようにして得られた係止具用テープ状物を、長さ２０ｍｍに切断し、端部を図１に示すように丸く切り取り、幅３０ｍｍ、長さ２０ｃｍの形状の係止具とした。
【００６０】
この係止具を市販の運転席用および助手席用カーマットの裏面の四隅に、また後部座席用カーマットの四隅および上辺中央部と下辺中央部に、それぞれホットメルト接着剤を１４０℃の加熱により溶融させることにより貼り付けた。その際、貼り付けた４枚または６枚の係止具のうち２枚がカーマットの縦方向、２枚または４枚が横方向と一致するように貼り付けた。なお、加熱により、ステムが倒れたり、融けたり、また基体層が溶融することは全くなかった。
【００６１】
この係止具付カーマットを、不織布製の自動車床材上に敷いたところ、カーマットは人の足の動きにかかわらず、最初の位置からわずかのずれを生じることもなく、しかもカーマットの上を人が踏みつけても、ステムが折れたり曲がったりすることがなかった。しかも、係止具の厚さが薄いため、カーマットは床材上に密着し、見栄えもよかった。この状態は、雨の日に濡れた傘を持ち込みカーマット状に置き、濡れた長靴を履いてカーマットを踏みつけても全く変わらなかった。
【００６２】
そして、このカーマットを、毎日、剥離して敷き直しをする作業を６か月間続けたが、自動車床材は、不織布繊維が持ち上がったり、引き抜かれたり、切断されることは全くなく、最初の状態を維持することができた。
【００６３】
実施例２
上記実施例１において、ステムの傾き方向を、中央部に近づく方向にとなるノズルを用いる以外は実施例１と同様にして係止具を作製した。そして、得られた係止具を実施例１と同様にカーマットの裏面に貼り付け、さらに自動車の床面の不織布上に敷いた。
【００６４】
その結果、係止具の中央部分をよく見ると僅かではあるが盛り上がっており、実施例１のものより見劣りのするものであった。そして中央部近辺では係止力が低く、ステム列が少ない場合には、係合力の点でわずかに問題を生じる恐れがあった。それ以外の点では実施例１のものと変わらず、長期テストの結果も同様に優れたものであった。
【００６５】
実施例３
実施例１において、成形に用いる樹脂をポリエステル系エラストマーからナイロン−６に変更する以外は実施例１と同様にして係止具を作製した。
得られた係止具は硬く、剥離の際に、実施例１のものと比べて剥がすのに力を要し、その結果、床材の不織布の繊維の一部が剥離した係止具に付着しており、このことから剥離の際の床面被覆不織布の繊維が切断したり、引き抜かれたりした箇所が僅かに見られた。
【００６６】
また雨の日には、係止具が反り返ることから、カーマットと床材との間に隙間が生じ、そのことから見栄えが少し劣るものであった。その他の点においては実施例１のものと遜色はなく、一応優れた係止具であった。
【００６７】
比較例１
実施例１において、ステムが基体層の片面中央部を挟んで中央部から互いに遠ざかる方向に傾いているのではなく、傾斜ステム群（Ａ）および傾斜ステム群（Ｂ）に属する全てのステムがステム群に関係なく同一の方向（片方の幅方向端部）に傾いている係止具を、そのような製造用ノズルを用いて成形し、さらに切れ目を挿入および延伸、さらにホットメルト接着剤付与、２０ｃｍ長さへの切断を実施例１と同様に行い、係止具を作製した。
【００６８】
このようにして得られた係止具をカーマットの４隅にステムが外側を向くように取り付けた。その結果、係止具の係合が人の足の動きにより、外れ易く、カーマットがズレを生じ易いものであり、カーマットの固定という点からは到底満足できるものではなかった。
【００６９】
比較例２
上記実施例１において、ノズルのスリット形状として、ステムの形状を一方向に傾いているストレートな形状のものではなく、先端部が鏃型の膨らみとなっており、そしてこの鏃型の係合素子が基体層面から直立しているものを用い、押し出す樹脂として実施例１と同じポリエステル系エラストマーを用いて、実施例１と同様に係止具を作製した（この係止具は、クラレファスニング製マジロックＬ９０７１０として市販されている）。
【００７０】
この係止具を実施例１のような形状に切断し、ポリアミド系ホットメルト接着剤によりカーマットの裏面に貼り付け、得られたカーマットを自動車の助手席の床材の不織布上に敷いた。係合・剥離を繰り返すうちに不織布の繊維が引き抜かれたり盛り上がったりし、さらにその部分の繊維が切断され係止力が低下した。同時に、鏃型係合素子の鏃部膨らみ部も切断され、この点からも係止力が低下した。
実施例１と同様の長期テストにおいて、２か月目ごろから、係止力の低下がみられるようになり、６か月後では、係止力は極めて弱く、人の足の蹴りにより容易にカーマットが移動することとなった。
【符号の説明】
【００７１】
１：基体層
２：ステム
３：中央部
４：ホットメルト接着剤層
５：カーマット
６：バッキング層
７：パイル層
８：ノズル
９：基体層用スリット
１０：ステム用スリット
Ａ：傾斜ステム群（Ａ）  
Ｂ：傾斜ステム群（Ｂ）
【図１】
2019005317.tif 000003
【図２】
2019005317.tif 000004
【図３】
2019005317.tif 000005
【図４】
2019005317.tif 000006
【図５】
2019005317.tif 000007